(57)【特許請求の範囲】
【請求項１】
３相４線式交流電源または３相３線式交流電源に接続される共通の入力端子と、この入力端子と導通する３相配線パターン及び中性点配線パターンと、この３相配線パターンの各配線パターンと前記中性点配線パターンとの間に設けられコンデンサの挿入接続が可能な第１のコンデンサ接続部と、前記３相配線パターンのうち１相の配線パターンと前記中性点配線パターンとの間に設けられ短絡用部品の挿入接続が可能な短絡用接続部と、前記３相配線パターンのうち前記短絡用接続部が設けられていない２相の配線パターンの相互間に設けられ、コンデンサの挿入接続が可能な第２のコンデンサ接続部と、を備えることを特徴とするノイズ除去用回路基板。
【請求項２】
前記短絡用接続部は、前記第１のコンデンサ接続部と兼用されていることを特徴とする請求項１記載のノイズ除去用回路基板。
【請求項３】
前記３相配線パターンと前記中性点配線パターンとの間に設けられサージ吸収素子の挿入接続が可能な第１のサージ吸収素子接続部と、前記３相配線パターンのうち前記短絡用接続部が設けられていない２相の配線パターンの間に設けられサージ吸収素子の挿入接続が可能な第２のサージ吸収素子接続部と、をさらに備えることを特徴とする請求項１または２に記載のノイズ除去用回路基板。
【請求項４】
３相４線式交流電源または３相３線式交流電源に接続された請求項１ないし３のいずれかに記載のノイズ除去用回路基板と、
複数のインダクタを有し、前記ノイズ除去用回路基板よりも後段の位置において、前記３相４線式交流電源または前記３相３線式交流電源に接続されるラインフィルタと、
少なくとも複数のコンデンサを有し、前記ラインフィルタよりも後段の位置において、前記３相４線式交流電源または前記３相３線式交流電源に接続される出力側ノイズ除去用回路と、
を備えたことを特徴とするノイズ除去装置。
【請求項５】
前記出力側ノイズ除去用回路は、前記３相４線式交流電源用として形成される場合に、前記３相４線式交流電源への誤配線を検出する誤配線検出回路、および前記３相４線式交流電源の欠相を検出するための欠相検出器を有し、前記３相３線式交流電源用として形成される場合に、前記３相３線式交流電源の欠相を検出するための欠相検出器を有する、ことを特徴とする請求項４記載のノイズ除去装置。
【発明の詳細な説明】
【技術分野】
【０００１】
この発明は、主に日本の国内で用いられる２００Ｖ級３相３線式交流電源および主に国外で用いられる４００Ｖ級３相４線式交流電源に共通に使用可能なノイズ除去用回路基板及びノイズ除去装置に関する。
【背景技術】
【０００２】
日本の国内で用いられている一般的な３相商用交流電源は、Ｒ相，Ｓ相，Ｔ相を有し、それぞれの相間電圧として略交流２００Ｖを出力する３相３線式交流電源である。また海外における２００Ｖ級の三相商用電源としては、２１０Ｖ、２４０Ｖ等がある。
【０００３】
一方、国外で一般的に用いられている商用交流電源では、Ｒ相，Ｓ相，Ｔ相（海外では、通常、Ｌ１相，Ｌ２相，Ｌ３相と称するが、説明を容易にするために日本国内の３相商用交流電源と同じ名称を使用する。）および中性点（Ｎ相）を有し、Ｒ相，Ｓ相，Ｔ相のそれぞれ相間電圧として略交流４００Ｖを出力するとともに、Ｒ相，Ｓ相，Ｔ相とＮ相とのそれぞれの線間電圧として略交流２３０Ｖを出力する３相４線式交流電源がある。なお、３相４線式交流電源の相間電圧は、多くの国で４００Ｖとなっているが、４００Ｖ級の３相４線式交流電源としては、国によっては、３８０Ｖ、４１５Ｖ、４６０Ｖ等が存在する。
【０００４】
これら商用交流電源に電気機器を接続する場合、電気機器からのノイズの流出を防止するためのノイズ除去装置（ノイズフィルタ）を設けなければならない。このため、国内および国外の両方で販売される電気機器の場合、国内の３相３線式交流電源に対応するノイズ除去用回路、および国外の３相４線式交流電源に対応するノイズ除去用回路のそれぞれを用意しなければならない。
【０００５】
また、３相３線式交流電源に対応する回路および３相４線式交流電源に対応するそれぞれの回路を有し、接続を切り替えることで両交流電源のどちらにも対応できるように汎用性を高めた電源装置が知られている（例えば特許文献１）。
【先行技術文献】
【特許文献】
【０００６】
【特許文献１】特開昭６１−２０３８２４号公報
【発明の概要】
【発明が解決しようとする課題】
【０００７】
上記公知文献にはノイズ除去用回路について記載がなく、かつ、この電源装置は、結局のところ海外用の３相４線式交流電源を接続する入力部と３相３線式交流電源を接続する入力部のそれぞれを備えたものであり、これは、コストの上昇を招く大きな要因となっている。
【０００８】
この発明は、上記の事情を考慮したもので、１つの回路基板で３相３線式交流電源および３相４線式交流電源の両方に対応することができ、これによりコストの低減が図れるノイズ除去用回路基板及びそのノイズ除去用回路基板を用いたノイズ除去装置を提供することを目的とする。
【課題を解決するための手段】
【０００９】
この発明のノイズ除去用回路基板は、３相４線式交流電源または３相３線式交流電源に接続される共通の入力端子と、この入力端子と導通する３相配線パターン及び中性点配線パターンと、この３相配線パターンの各配線パターンと前記中性点配線パターンとの間に設けられコンデンサの挿入接続が可能な第１のコンデンサ接続部と、前記３相配線パターンのうち１相の配線パターンと前記中性点配線パターンとの間に設けられ短絡用部品の挿入接続が可能な短絡用接続部と、前記３相配線パターンのうち前記短絡用接続部が設けられていない２相の配線パターンの相互間に設けられコンデンサの挿入接続が可能な第２のコンデンサ接続部と、を備える。
【発明の効果】
【００１０】
この発明のノイズ除去用回路基板は、１つの回路基板で３相３線式交流電源および３相４線式交流電源の両方に対応することができ、コストの低減が図れる。また、このようなノイズ除去用回路基板を用いることでコストを低減したノイズ除去装置が提供できる。
【図面の簡単な説明】
【００１１】
【図１】一実施形態の３相４線式交流電源への接続状態を示すブロック図。
【図２】一実施形態の共通回路基板の入力側ノイズ除去用回路基板の構成を示す図。
【図３】一実施形態の共通回路基板の出力側ノイズ除去用回路基板の構成を示す図。
【図４】図１の入力側ノイズ除去用回路および出力側ノイズ除去用回路の構成を示す図。
【図５】一実施形態の出力側ノイズ除去用回路における半波整流回路の出力電圧の正常接続時の波形を示す図。
【図６】一実施形態の出力側ノイズ除去用回路における半波整流回路の出力電圧の欠相時の波形を示す図。
【図７】一実施形態の出力側ノイズ除去用回路における半波整流回路の出力電圧の誤配線時の波形を示す図。
【図８】一実施形態の３相３線式交流電源への接続状態を示すブロック図。
【図９】図８の入力側ノイズ除去用回路および出力側ノイズ除去用回路の構成を示す図。
【発明を実施するための形態】
【００１２】
［１］以下、この発明の一実施形態ついて説明する。まず、国外で使用されている商用交流電源である４００Ｖ級３相４線式交流電源への対応について説明する。  
図１において、１は４００Ｖ級３相４線式交流電源で、Ｒ相，Ｓ相，Ｔ相および中性点を有し、Ｒ相，Ｓ相，Ｔ相のそれぞれ相間電圧として交流４００Ｖを出力するとともに、Ｒ相，Ｓ相，Ｔ相と中性点のそれぞれ線間電圧として交流２３０Ｖを出力する。
【００１３】
この３相４線式交流電源１のＲ相，Ｓ相，Ｔ相および中性点に３相ラインＬ１，Ｌ２，Ｌ３および中性ラインＮが接続され、その３相ラインＬ１，Ｌ２，Ｌ３および中性ラインＮに入力側ノイズ除去用回路２の電源端子Ｔｒ，Ｔｓ，Ｔｔおよび中性点端子Ｔｎが接続される。入力側ノイズ除去用回路２のアース端子Ｔｅは接地接続される。
【００１４】
また、上記３相ラインＬ１，Ｌ２，Ｌ３および中性ラインＮにおける入力側ノイズ除去用回路２の接続位置よりも下流側に、すなわち入力側ノイズ除去用回路２よりも後段の位置に、ラインフィルタ３が接続される。このラインフィルタ３は、３相ラインＬ１，Ｌ２，Ｌ３および中性ラインＮにそれぞれ挿入接続される複数のインダクタ３ｒ，３ｓ，３ｔ，３ｎを有する。
【００１５】
さらに、上記３相ラインＬ１，Ｌ２，Ｌ３および中性ラインＮにおけるラインフィルタ３の接続位置よりも下流側に、すなわちラインフィルタ３よりも後段の位置に、出力側ノイズ除去用回路４の電源端子Ｔｒ，Ｔｓ，Ｔｔおよび中性点端子Ｔｎが接続される。出力側ノイズ除去用回路４のアース端子Ｔｅは接地接続される。
【００１６】
入力側ノイズ除去用回路２は、少なくとも後述する複数のコンデンサ２４ｒ，２４ｓ，２４ｔを有する。出力側ノイズ除去用回路４は、少なくとも後述する複数のコンデンサ３１ｒ，３１ｓ，３１ｔ，３２ｒ，３２ｓ，３２ｔを有する。これら入力側ノイズ除去用回路２及び出力側ノイズ除去用回路４のコンデンサとラインフィルタ３のインダクタ３ｒ，３ｓ，３ｔ，３ｎとにより、ノイズ除去装置が構成される。
【００１７】
そして、３相ラインＬ１，Ｌ２，Ｌ３および中性ラインＮにおけるラインフィルタ３の接続位置よりも下流側に、電気機器Ａ内の400Ｖ系負荷１００が接続される。400Ｖ系負荷１００は、例えば、空気調和装置の場合には各相間電圧（３相交流電圧）４００Ｖにより動作するインバータおよび圧縮機モータ等である。
【００１８】
また、出力側ノイズ除去用回路４は、３相ラインＬ１，Ｌ２，Ｌ３のいずれか1つと中性ラインＮとの間に接続され、１つの線間電圧（単相交流電圧）２３０Ｖを出力するための出力端子Ｏｕｔ１，Ｏｕｔ２、欠相検出信号を出力するための出力端子Ｏｕｔ３，Ｏｕｔ４、リレー駆動信号を取り込むための入力端子Ｉｎ１，Ｉｎ２を有する。出力端子Ｏｕｔ１，Ｏｕｔ２には上記電気機器Ａ内の230Ｖ系負荷２００が接続される。この230Ｖ系負荷２００は、例えば、空気調和装置の場合にはファンモータおよび制御回路２０１等を有し、出力端子Ｏｕｔ１，Ｏｕｔ２から供給される線間電圧２３０Ｖにより動作する。制御回路２０１は、当該230Ｖ系負荷２００のファンモータおよび上記400Ｖ系負荷１００のインバータの運転を制御するとともに、出力端子Ｏｕｔ１，Ｏｕｔ２から当該230Ｖ系負荷２００への線間電圧の供給／遮断を出力側ノイズ除去用回路４に対するリレー駆動信号の供給によって制御する。出力端子Ｏｕｔ３，Ｏｕｔ４には、欠相を報知するための欠相報知器５が接続される。
【００１９】
一方、入力側ノイズ除去用回路２および出力側ノイズ除去用回路４を形成するための回路基板として、図２および図３に示す共通回路基板１０が用意される。共通回路基板１０は、基板の形成や部品の実装等の製造工程の簡素化のために用いられる。共通回路基板１０は、入力側ノイズ除去用回路２を形成するための入力側ノイズ除去用回路基板１１と出力側ノイズ除去用回路４を形成するための出力側ノイズ除去用回路基板１２を基板の製造時点には一体で、その後に分割可能としたもので、両回路基板１１，１２に電子部品を実装完了後に、その境界位置に存する溝１３の切断により、入力側ノイズ除去用回路基板１１と出力側ノイズ除去用回路基板１２とに分割することができる。
【００２０】
入力側ノイズ除去用回路基板１１は、３相４線式交流電源１用の上記入力側ノイズ除去用回路２および後述の図９に示す２００Ｖ級３相３線式交流電源９用の入力側ノイズ除去用回路６の両方に適応する導電パターン（配線パターン）を有し、その導電パターンに対する各コンデンサおよび他の電気部品の接続位置に応じて、入力側ノイズ除去用回路２および入力側ノイズ除去用回路６のいずれか一方を選択的に形成することができる。出力側ノイズ除去用回路基板１２は、３相４線式交流電源１用の上記出力側ノイズ除去用回路４および後述の図９に示す２００Ｖ級３相３線式交流電源９用の出力側ノイズ除去用回路７の両方に適応する導電パターン（配線パターン）を有し、その導電パターンに対する各コンデンサおよび他の電気部品の接続位置に応じて、出力側ノイズ除去用回路４および出力側ノイズ除去用回路７のいずれか一方を選択的に形成することができる。
【００２１】
まず、入力側ノイズ除去用回路基板１１について説明する。図２に示すように、入力側ノイズ除去用回路基板１１上に、電源端子Ｔｒ，Ｔｓ，Ｔｔの挿入接続が可能な導通孔ｈｉ１１，ｈｉ１２，ｈｉ１３、中性点端子Ｔｎの挿入接続が可能な導通孔ｈｉ１４、アース端子Ｔｅの挿入接続が可能な導通孔ｈｉ１５が形成されている。そして、入力側ノイズ除去用回路基板１１上に、導通孔ｈｉ１１，ｈｉ１２，ｈｉ１３および３相ラインＬ１，Ｌ２，Ｌ３と導通する３相導電パターン（３相配線パターンともいう）Ｌ１ｐ，Ｌ２ｐ，Ｌ３ｐが形成されている。また、入力側ノイズ除去用回路基板１１上に、導通孔ｈｉ１４およびこの導通孔ｈｉ１４とつながり、中性ラインＮと導通する中性点導電パターン（中性点配線パターンともいう）Ｎｐが形成されている。さらに、入力側ノイズ除去用回路基板１１上に、導通孔ｈｉ１５およびこの導通孔ｈｉ１５とつながり、アースラインＥと導通するアース導電パターンＥｐが形成されている。これら導電パターンは銅箔等で形成される。また各導通孔は、銅箔に設けられるスルーホールである。なお、各導通孔は、その孔に挿入された各素子の足端子がそれぞれ所定の導電パターンと導通するように形成されているが、素子自体が上載せのタイプであれば、孔ではなく、半田付け用のランドでよい。
【００２２】
導通孔ｈｉ１１，ｈｉ１２，ｈｉ１３の近傍の３相導電パターンＬ１ｐ，Ｌ２ｐ，Ｌ３ｐ上に、通電路形成用の後述のヒューズ２１ｒ，２１ｓ，２１ｔの直列挿入接続が可能な導通孔ｈ１１，ｈ１２、導通孔ｈ２１，ｈ２２、導通孔ｈ３１，ｈ３２がそれぞれ形成されている。これら導通孔より下流側の３相導電パターンＬ１ｐ，Ｌ２ｐ，Ｌ３ｐと中性点導電パターンＮｐとの間に、電圧サージ抑制用の後述するバリスタ等のサージ保護デバイス２２ｒ，２２ｓ，２２ｔの挿入接続が可能な第１のサージ吸収素子接続部である導通孔ｈｓ１１，ｈｓ１２、導通孔ｈｓ２１，ｈｓ２２、導通孔ｈｓ３１，ｈｓ３２がそれぞれ形成されている。すなわち、導通孔ｈｓ１１，ｈｓ２１，ｈｓ３１が３相導電パターンＬ１ｐ，Ｌ２ｐ，Ｌ３ｐと導通し、導通孔ｈｓ１２，ｈｓ２２，ｈｓ３２が中性点導電パターンＮｐと導通している。
【００２３】
４００Ｖ級３相４線式交流電源１では用いられないが、後述の図９に示す２００Ｖ級３相３線式交流電源９の場合に用いるサージ吸収素子２２ｒｓの挿入接続が可能な第２のサージ吸収素子接続部である導通孔ｈｓ４１，ｈｓ４２が、Ｒ相導電パターンＬ１ｐとＳ相導電パターンＬ２ｐとの間に設けられている。
【００２４】
アース導電パターンＥｐと中性点導電パターンＮｐとの間に、後述するサージ保護デバイス２２ｎおよび雷サージ保護用のガス入り放電管２３を直列関係に挿入接続可能な導通孔ｈｓ５１，ｈｓ５２および導通孔ｈｇ１１，ｈｇ１２が設けられている。
【００２５】
続いて、ノイズ除去用のフィルタ回路を構成する主要素であるコンデンサの接続部分について説明する。上記ヒューズ２１ｒ，２１ｓ，２１ｔ用の各導通孔より下流側の３相導電パターンＬ１ｐ，Ｌ２ｐ，Ｌ３ｐと中性点導電パターンＮｐとの間に、後述するコンデンサ２４ｒ，２４ｓ，２４ｔの挿入接続が可能な第１のコンデンサ接続部である導通孔ｈｃ１１，ｈｃ１２、導通孔ｈｃ２１，ｈｃ２２、および導通孔ｈｃ３１，ｈｃ３２がそれぞれ形成されている。すなわち、導通孔ｈｃ１１，ｈｃ２１，ｈｃ３１が３相導電パターンＬ１ｐ，Ｌ２ｐ，Ｌ３ｐと導通し、導通孔ｈｃ１２，ｈｃ２２，ｈｃ３２が中性点導電パターンＮｐと導通している。
【００２６】
４００Ｖ級３相４線式交流電源１では用いられないが、後述の図９に示す２００Ｖ級３相３線式交流電源９の場合に用いるコンデンサ２４ｒｓの挿入接続が可能な第２のコンデンサ接続部である導通孔ｈｃ４１，ｈｃ４２が、Ｒ相導電パターンＬ１ｐとＳ相導電パターンＬ２ｐとの間に形成されている。同じく２００Ｖ級３相３線式交流電源９の場合に、３相導電パターンＬ１ｐ，Ｌ２ｐ，Ｌ３ｐの１つであるＴ相導電パターンＬ３ｐと中性点導電パターンＮｐとの間に短絡用部品である後述のジャンパ線２５の挿入接続が可能な短絡用接続部である導通孔ｈｈ１１，ｈｈ１２が形成されている。
【００２７】
なお、本実施形態においては、３相導電パターンＬ１ｐ，Ｌ２ｐ，Ｌ３ｐのうちのＴ相導電パターンＬ３ｐと中性点導電パターンＮｐとの間をジャンパ線２５で短絡する構成としているが、Ｔ相導電パターンＬ３ｐに限らず、Ｒ相導電パターンＬ１ｐと中性点導電パターンＮｐとの間あるいはＳ相導電パターンＬ２ｐと中性点導電パターンＮｐとの間をジャンパ線２５で短絡する構成としてもよい。Ｒ相導電パターンＬ１ｐと中性点導電パターンＮｐとの間を短絡する場合には、導通孔ｈｈ１１，ｈｈ１２がＲ相導電パターンＬ１ｐと中性点導電パターンＮｐとの間に形成される。Ｓ相導電パターンＬ２ｐと中性点導電パターンＮｐとの間を短絡する場合には、導通孔ｈｈ１１，ｈｈ１２がＳ相導電パターンＬ２ｐと中性点導電パターンＮｐとの間に形成される。
【００２８】
すなわち、入力側ノイズ除去用回路基板１１は、３相配線パターンの各配線パターンＬ１ｐ，Ｌ２ｐ，Ｌ３ｐと中性点配線パターンＮｐとの間に設けられコンデンサの挿入接続が可能な第１のコンデンサ接続部と、３相配線パターンＬ１ｐ，Ｌ２ｐ，Ｌ３ｐのうち１相の配線パターンと中性点配線パターンＮｐとの間に設けられ短絡用部品の挿入接続が可能な短絡用接続部と、３相配線パターンのうち短絡用接続部が設けられていない２相の配線パターンの相互間に設けられ、コンデンサの挿入接続が可能な第２のコンデンサ接続部を備えたものである。
【００２９】
この入力側ノイズ除去用回路基板１１における各導通孔に、図４に示すように、電源端子Ｔｒ，Ｔｓ，Ｔｔ、中性点端子Ｔｎ、アース端子Ｔｅが実装されるとともに、回路形成用の所定の素子であるヒューズ２１ｒ，２１ｓ，２１ｔ、サージ保護デバイス２２ｒ，２２ｓ，２２ｔ，２２ｎ、雷サージ保護用のガス入り放電管２３、コンデンサ２４ｒ，２４ｓ，２４ｔがそれぞれ実装される。すなわち、導通孔ｈ１１，ｈ１２、導通孔ｈ２１，ｈ２２、導通孔ｈ３１，ｈ３２には、それぞれヒューズ２１ｒ，２１ｓ，２１ｔの両端子が挿入される。サージ保護デバイス２２ｒ，２２ｓ，２２ｔは、それぞれ導通孔ｈｓ１１，ｈｓ１２、導通孔ｈｓ２１，ｈｓ２２、導通孔ｈｓ３１，ｈｓ３２間に挿入される。また、サージ保護デバイス２２ｎは、導通孔ｈｓ５１，ｈｓ５２に挿入され、雷サージ保護用のガス入り放電管２３は導通孔ｈｇ１１，ｈｇ１２に挿入される。
【００３０】
この実装により、４００Ｖ級３相４線式交流電源用の入力側ノイズ除去用回路２が形成される。とくに、３相導電パターンＬ１ｐ，Ｌ２ｐ，Ｌ３ｐと中性点導電パターンＮｐとの間に接続されるサージ保護デバイス２２ｒ，２２ｓ，２２ｔにより、サージからの保護が可能となる。アース導電パターンＥｐと中性点導電パターンＮｐとの間に接続されるサージ保護デバイス２２ｎおよびガス入り放電管２３の直列回路により、雷などのサージからの保護も可能となる。
【００３１】
なお、後述の図９に示す２００Ｖ級３相３線式交流電源９の場合に用いるサージ吸収素子２２ｒｓの挿入接続が可能な導通孔ｈｓ４１，ｈｓ４２、コンデンサ２４ｒｓの挿入接続が可能なコンデンサ接続部である導通孔ｈｃ４１，ｈｃ４２、およびＴ相導電パターンＬ３ｐと中性点導電パターンＮｐの相互間に短絡用部品であるジャンパ線２５の挿入接続が可能な導通孔ｈｈ１１，ｈｈ１２については、部品が実装されることなく開放状態が維持される。
【００３２】
一方、図３に示すように、出力側ノイズ除去用回路基板１２上に、電源端子Ｔｒ，Ｔｓ，Ｔｔの挿入接続が可能な導通孔ｈｊ１１，ｈｊ１２，ｈｊ１３、中性点端子Ｔｎの挿入接続が可能な導通孔ｈｊ１４、アース端子Ｔｅの挿入接続が可能な導通孔ｈｊ１５が形成されている。そして、出力側ノイズ除去用回路基板１２上に、導通孔ｈｊ１１，ｈｊ１２，ｈｊ１３および３相ラインＬ１，Ｌ２，Ｌ３と導通する３相導電パターンＬ１ｐ，Ｌ２ｐ，Ｌ３ｐが形成されている。導通孔ｈｊ１４および中性ラインＮと導通する中性点導電パターンＮｐが形成されている。導通孔ｈｊ１５およびアースラインＥと導通するアース導電パターンＥｐが形成されている。これら導電パターンは銅箔等で形成される。また各端子は、銅箔に設けられるスルーホールである。
【００３３】
この出力側ノイズ除去用回路基板１２における３相導電パターンＬ１ｐ，Ｌ２ｐ，Ｌ３ｐと中性点導電パターンＮｐとの間に、後述のコンデンサ３１ｒ，３１ｓ，３１ｔの挿入接続が可能なコンデンサ接続部である導通孔ｈｃ５１，ｈｃ５２、導通孔ｈｃ６１，ｈｃ６２、および導通孔ｈｃ７１，ｈｃ７２がそれぞれ形成されている。すなわち、導通孔ｈｃ５１，ｈｃ６１，ｈｃ７１が３相導電パターンＬ１ｐ，Ｌ２ｐ，Ｌ３ｐと導通し、導通孔ｈｃ５２，ｈｃ６２，ｈｃ７２が中性点導電パターンＮｐと導通している。
【００３４】
後述の図９に示す後述する２００Ｖ級３相３線式交流電源９の場合に用いるコンデンサ３１ｒｓの挿入接続が可能な第２のコンデンサ接続部である導通孔ｈｃ８１，ｈｃ８２が、Ｒ相導電パターンＬ１ｐとＳ相導電パターンＬ２ｐとの間に形成されている。
【００３５】
３相導電パターンＬ１ｐ，Ｌ２ｐ，Ｌ３ｐとアース導電パターンＥｐとの間に、後述するコンデンサ３２ｒ，３２ｓ，３２ｔの挿入接続が可能な第１のコンデンサ接続部である導通孔ｈｃ１１１，ｈｃ１１２、導通孔ｈｃ１２１，ｈｃ１２２、および導通孔ｈｃ１３１，ｈｃ１３２がそれぞれ形成されている。すなわち、導通孔ｈｃ１１１，ｈｃ１２１，ｈｃ１３１が３相導電パターンＬ１ｐ，Ｌ２ｐ，Ｌ３ｐと導通し、導通孔ｈｃ１１２，ｈｃ１２２，ｈｃ１３２がアース導電パターンＥｐと導通している。
【００３６】
後述の図９に示す２００Ｖ級３相３線式交流電源９の場合に用いる短絡用部品であるジャンパ線３３ｂの挿入接続が可能な通電用接続部である導通孔ｈｈ２１，ｈｈ２２が、Ｔ相導電パターンＬ３ｐと中性点導電パターンＮｐとの間に形成されている。すなわち、導通孔ｈｈ２１がＴ相導電パターンＬ３ｐと導通し、導通孔ｈｈ２２が中性点導電パターンＮｐと導通している。そして、導通孔ｈｈ２２および導通孔ｈｃ５２，ｈｃ６２，ｈｃ７２より下流側の中性点導電パターンＮｐ上に、通電用部品である後述のジャンパ線３３ａの挿入接続が可能な通電用接続部である導通孔ｈｈ３１，ｈｈ３２が形成されている。
【００３７】
Ｒ相導電パターンＬ１ｐは、電源端子Ｔｒ用の導通孔ｈｊ１１から出力端子Ｏｕｔ１と対応する位置まで延長されている。このＲ相導電パターンＬ１ｐにおける出力端子Ｏｕｔ１との対応位置に、その出力端子Ｏｕｔ１の挿入接続が可能な導通孔ｈｏ１１が形成されている。
【００３８】
３相導電パターンＬ１ｐ，Ｌ２ｐ，Ｌ３ｐに、その３相導電パターンＬ１ｐ，Ｌ２ｐ，Ｌ３ｐの導通経路となる後述のダイオード３４ｒ，３４ｓ，３４ｔの挿入接続が可能な導通孔ｈｄ１１，ｈｄ１２、導通孔ｈｄ２１，ｈｄ２２、導通孔ｈｄ３１，ｈｄ３２がそれぞれ形成されている。これら導通孔の下流側の３相導電パターンＬ１ｐ，Ｌ２ｐ，Ｌ３ｐは１つの導電パターンＬｐに集約され、その導電パターンＬｐ上に、通電路形成用の後述の抵抗器３５およびフォトカプラ４０の発光ダイオード４０ａを挿入接続するための導通孔ｈｒ１１，ｈｒ１２および導通孔ｈｐ１１，ｈｐ１２がそれぞれ形成されている。そして、導電パターンＬｐにおける導通孔ｈｒ１１，ｈｒ１２と導通孔ｈｐ１１，ｈｐ１２との間の位置に導電パターンＬｐ１が形成され、その導電パターンＬｐ１と中性点導電パターンＮｐにおける導通孔ｈｈ３１、ｈｈ３２より下流側との間に、後述の誤配線検出回路３６の入力端子の挿入接続が可能な導通孔ｈｘ１１，ｈｘ１２が形成されている。この導通孔ｈｘ１１，ｈｘ１２の近傍には同誤配線検出回路３６の出力端子の挿入接続が可能な導通孔ｈｘ１３が形成され、その導通孔ｈｘ１３の近傍に後述のトランジスタ（ＩＧＢＴ）３９のベース端子の挿入接続が可能な導通孔ｈｔ１３が形成されている。これら導通孔ｈｘ１３と導通孔ｈｔ１３の相互間に導電パターンＬｐ２が形成されている。
【００３９】
中性点導電パターンＮｐは中性点端子Ｔｎ用の導通孔ｈｊ１４から出力端子Ｏｕｔ２との対応位置まで延長され、その対応位置に、出力端子Ｏｕｔ２の挿入接続が可能な導通孔ｈｏ１２が形成されている。この導通孔ｈｏ１２の近傍の中性点導電パターンＮｐ上には、通電路形成用の後述するリレー４１の常開接点４１ａの挿入接続が可能な導通孔ｈｎ１１，ｈｎ１２が形成されている。そして、この導通孔ｈｎ１１，ｈｎ１２と並列の状態に中性点導電パターンＮｐ１が形成され、その中性点導電パターンＮｐ１上に、突入電流防止用のサーミスタ３７、通電路形成用のダイオード３８、通電路形成用のトランジスタ３９のコレクタ端子・エミッタ端子間をそれぞれ挿入接続可能な導通孔ｈｍ１１，ｈｍ１２、導通孔ｈｄ７１，ｈｄ７２、導通孔ｈｔ１１，ｈｔ１２が形成されている。さらに、この導通孔ｈｄ７１，ｈｄ７２および導通孔ｈｔ１１，ｈｔ１２と並列状態に中性点導電パターンＮｐ２が形成され、中性点導電パターンＮｐ２上に、後述する図９の短絡用部品であるジャンパ線５２の挿入接続が可能な導通孔ｈｈ４１，ｈｈ４２が形成されている。
【００４０】
また、上記ｈｎ１１，ｈｎ１２の近傍に後述するリレー４１の励磁コイル４１ｃの挿入接続が可能な導通孔ｈｎ１３，ｈｎ１４が形成され、そのｈｎ１３，ｈｎ１４の近傍に入力端子Ｉｎ１，Ｉｎ２の挿入接続が可能な導通孔ｈｉ１１，ｈｉ１２が形成されている。これら導通孔ｈｎ１３，ｈｎ１４と導通孔ｈｉ１１，ｈｉ１２との間にそれぞれ導電パターンＬｐ３，Ｌｐ４がそれぞれ形成され、その導電パターンＬｐ３，Ｌｐ４の相互間に後述の逆起電力防止用のダイオード４２の挿入接続が可能な導通孔ｈｄ７１，ｈｄ７２が形成されている。
【００４１】
上記発光ダイオード４０ａ用の導通孔ｈｐ１１，ｈｐ１２と対向する位置に後述のフォトカプラ４０のフォトトランジスタ４０ｂを挿入接続するための導通孔ｈｐ２１，ｈｐ２２が形成され、その導通孔ｈｐ２１，ｈｐ２２から出力端子Ｏｕｔ３，Ｏｕｔ４にかけて導電パターンＬｐ５，Ｌｐ６が形成されている。そして、この導電パターンＬｐ５，Ｌｐ６上の出力端子Ｏｕｔ３，Ｏｕｔ４との対応位置に、その出力端子Ｏｕｔ３，Ｏｕｔ４の挿入接続が可能な導通孔ｈａ２１，ｈａ２２が形成されている。
【００４２】
また、３相導電パターンＬ１ｐ，Ｌ２ｐ，Ｌ３ｐにおけるダイオード３４ｒ，３４ｓ，３４ｔ用の導通孔ｈｄ１２，ｈｄ２２，ｈｄ３２より上流側と、中性点導電パターンＮｐにおけるジャンパ線３３ａ用の導通孔ｈｈ３１，ｈｈ３２より下流側との間に、後述の図９に示す２００Ｖ級３相３線式交流電源９の場合に用いるダイオード５１ｒ，５１ｓ，５１ｔの挿入接続が可能な導通孔ｈｄ４１，ｈｄ４２、導通孔ｈｄ５１，ｈｄ５２、導通孔ｈｄ６１，ｈｄ６２がそれぞれ形成されている。
【００４３】
この出力側ノイズ除去用回路基板１２における各導通孔に、図４に示すように、電源端子Ｔｒ，Ｔｓ，Ｔｔ、中性点端子Ｔｎ、アース端子Ｔｅ、出力端子Ｏｕｔ１，Ｏｕｔ２、出力端子Ｏｕｔ３，Ｏｕｔ４、入力端子Ｉｎ１，Ｉｎ２が実装されるとともに、回路形成用の所定の素子であるコンデンサ３１ｒ，３１ｓ，３１ｔ、コンデンサ３２ｒ，３２ｓ，３２ｔ、ジャンパ線３３ａ、ダイオード３４ｒ，３４ｓ，３４ｔ、抵抗器３５、誤配線検出回路３６、突入電流防止用のサーミスタ３７、ダイオード３８、トランジスタ（ＩＧＢＴ）３９、フォトカプラ４０の発光ダイオード４０ａとフォトトランジスタ４０ｂ、リレー４１の常開接点４１ａと励磁コイル４１ｃ、逆起電力防止用のダイオード４２がそれぞれ対応する導通孔に実装される。
【００４４】
この実装により、４００Ｖ級３相４線式交流電源用の出力側ノイズ除去用回路４が形成される。
【００４５】
上記ダイオード３４ｒ，３４ｓ，３４ｔにより、半波整流回路が構成される。誤配線検出回路３６は、導電パターンＬｐと中性点導電パターンＮｐとの間の入力電圧のレベルを監視することにより、３相４線式交流電源１に対する３相ラインＬ１，Ｌ２，Ｌ３および中性ラインＮの誤配線を検出する。
【００４６】
こうして必要な部品を実装して半田付けすることで共通回路基板１０上に入力側ノイズ除去用回路２および出力側ノイズ除去用回路４が形成され、この入力側ノイズ除去用回路２と出力側ノイズ除去用回路４とが溝１３の切断によって分割される。分割された入力側ノイズ除去用回路２と出力側ノイズ除去用回路４との間にラインフィルタ３が外付け接続される。
【００４７】
ここで、誤配線検出回路３６の動作を図５、図６、図７を参照しながら説明する。  
（１）正常接続時  
図１のように、３相４線式交流電源１のＲ，Ｓ，Ｔ相および中性点に対して３相ラインＬ１，Ｌ２，Ｌ３および中性ラインＮが正しく配線接続されている場合、図５に実線で示す２３０Ｖの半波整流電圧がダイオード３４ｒ，３４ｓ，３４ｔの半波整流回路から出力され、それが誤配線検出回路３６に入力される。この入力電圧は、予め定められている適正範囲内である
このとき、誤配線検出回路３６は、入力電圧が適正範囲内に収まっているので、３相４線式交流電源１への配線接続が誤りでないと判定し、オン信号を出力する。このオン信号によりトランジスタ３９がオンし、Ｒ相ラインＬ１と中性ラインＮとの間の線間電圧２３０Ｖが突入電流防止用のサーミスタ３７およびダイオード３８を介して出力端子Ｏｕｔ１，Ｏｕｔ２から出力される。この出力電圧によって230Ｖ系負荷２００が動作し、その230Ｖ系負荷２００の制御回路２０１から出力側ノイズ除去用回路４の入力端子Ｉｎ１，Ｉｎ２に対しリレー駆動信号が出力される。このリレー駆動信号により、出力側ノイズ除去用回路４のリレー４１が付勢され、その常開接点４１ａが閉じる。常開接点４１ａが閉じると、Ｒ相ラインＬ１と中性ラインＮとの間の線間電圧２３０Ｖがサーミスタ３７およびダイオード３８を介すことなく常開接点４１ａを介して出力端子Ｏｕｔ１，Ｏｕｔ２から出力される。この出力電圧によって230Ｖ系負荷２００の動作が継続し、制御回路２０１によって400Ｖ系負荷１００が駆動制御される。
【００４８】
（２）欠相時  
３相４線式交流電源１のＲ，Ｓ，Ｔ相および中性点に対して３相ラインＬ１，Ｌ２，Ｌ３および中性ラインＮが正しく配線接続されていても、３相４線式交流電源１のＲ相，Ｓ相，Ｔ相のいずれかに欠相が生じることがある。例えば、３相４線式交流電源１のＴ相に欠相が生じると、Ｓ相ラインＴ２とＴ相ラインＴ３の相互間およびＲ相ラインＴ１とＴ相ラインＴ３の相互間の相間電圧が零Ｖとなる。この場合、400Ｖ系負荷１００の適切な動作が困難となる。
【００４９】
この欠相時、図６に破線で示すように、２３０Ｖから零Ｖまで変動する半波整流電圧がダイオード３４ｒ，３４ｓ，３４ｔの半波整流回路から出力され、それが誤配線検出回路３６およびフォトカプラ４０に入力される。このとき、誤配線検出回路３６は、入力電圧が適正範囲外の零Ｖまで下降するので、欠相が生じているとの判定し、オフ信号を出力する。このオフ信号によりトランジスタ３９がオフ状態を維持し、Ｒ相ラインＬ１と中性ラインＮとの間の線間電圧２３０Ｖは出力端子Ｏｕｔ１，Ｏｕｔ２から出力されない。よって、230Ｖ系負荷２００は動作せず、400Ｖ系負荷１００に対する不要な駆動制御が防止される。
【００５０】
このとき、フォトカプラ４０は、２３０Ｖから零Ｖまで変動する半波整流電圧によってオン，オフする。このオン，オフ信号が出力端子Ｏｕｔ３，Ｏｕｔ４を介して欠相報知器５に供給される。欠相報知器５は、零Ｖ期間をオン，オフ信号から監視し、零Ｖ期間が電気角６０度であれば欠相が生じたと判定し、その旨を光や音などで報知する。
【００５１】
（３）誤配線時  
３相４線式交流電源１のＲ，Ｓ，Ｔ相および中性点に対して３相ラインＬ１，Ｌ２，Ｌ３および中性ラインＮが正しく配線接続されていない場合、例えばＴ相に中性ラインＮが配線接続され、中性点にＴ相ラインＴ３が配線接続されているような場合、Ｓ相ラインＬ２とＴ相ラインＬ３の相互間およびＲ相ラインＬ１とＴ相ラインＬ３の相互間に本来の相間電圧４００Ｖよりも低い線間電圧２３０Ｖが生じるとともに、Ｒ相ラインＴ１と中性ラインＮとの間に本来の線間電圧２３０Ｖよりも高い相間電圧４００Ｖが生じる。
【００５２】
この場合、図７に実線で示すように、４００Ｖから零Ｖまでレベル変化する半波整流電圧がダイオード３４ｒ，３４ｓ，３４ｔの半波整流回路から出力され、それが誤配線検出回路３６に入力される。
【００５３】
このとき、誤配線検出回路３６は、入力電圧が適正範囲から外れた過剰レベルと零レベルとの間で変化するので、３相４線式交流電源１への配線接続が誤りであると判定し、オフ信号を出力する。このオフ信号によりトランジスタ３９がオフ状態を維持する。したがって、Ｒ相ラインＴ１と中性ラインＮとの間の過剰な相間電圧４００Ｖが230Ｖ系負荷２００に供給されることはなく、230Ｖ系負荷２００の安全が確保される。
【００５４】
［２］２００Ｖ級３相３線式交流電源への対応について説明する。当然、回路基板は、図２に示す３相４線式交流電源１のものと同一のものが使用される。
【００５５】
図９において、２００Ｖ級３相３線式交流電源９は、Ｒ相，Ｓ相，Ｔ相のそれぞれ相間電圧として交流２００Ｖを出力する。この２００Ｖ級３相３線式交流電源９のＲ相，Ｓ相，Ｔ相に３相ラインＬ１，Ｌ２，Ｌ３が接続され、その３相ラインＬ１，Ｌ２，Ｌ３に入力側ノイズ除去用回路６の電源端子Ｔｒ，Ｔｓ，Ｔｔが接続される。入力側ノイズ除去用回路６のアース端子Ｔｅは接地される。
【００５６】
３相ラインＬ１，Ｌ２，Ｌ３における入力側ノイズ除去用回路６の接続位置よりも下流側に、ラインフィルタ３のインダクタ３ｒ，３ｓ，３ｔが挿入接続される。インダクタ３ｎは使用されないかもしくはインダクタ３ｎのない三相インダクタが用いられる。また、３相ラインＬ１，Ｌ２，Ｌ３におけるラインフィルタ３の接続位置よりも下流側に、出力側ノイズ除去用回路４の電源端子Ｔｒ，Ｔｓ，Ｔｔが接続される。出力側ノイズ除去用回路４のアース端子Ｔｅは接地される。
【００５７】
入力側ノイズ除去用回路６は、少なくとも後述の複数のコンデンサ２４ｒｓ，２４ｓ，２４ｒを有する。コンデンサ２４ｒｓは、導通孔ｈｃ４１，ｈｃ４２間に接続され、Ｒ相とＳ相間に挿入される。コンデンサ２４ｓは、導通孔ｈｃ２１，ｈｃ２２間接続され、Ｓ相と中性ラインＮ間に挿入される。コンデンサ２４ｒは、導通孔ｈｃ１１，ｈｃ１２間接続され、Ｒ相と中性ラインＮ間に挿入される。ここで、２００Ｖ級３相３線式交流電源９の場合は、中性ラインＮが電源側に接続されず、かつ、導通孔ｈｈ１１，ｈｈ１２において短絡用のジャンパ線２５が挿入される。このため、中性ラインＮはジャンパ線２５によってＴ相のラインである３相ラインＬ３と導通することとなる。したがって、コンデンサ２４ｓはＳ相とＴ相間に挿入されたことになる。同様にコンデンサ２４ｒはＲ相とＴ相間に挿入されたことになる。この結果、各コンデンサ２４ｒｓ，２４ｓ，２４ｒはそれぞれ３相の各相間に接続されたこととなり、ノイズフィルタの一部である相間コンデンサが構成できる。
【００５８】
すなわち、前述の４００Ｖ級３相４線式交流電源１の場合、ノイズフィルタ用のコンデンサ２４ｒ，２４ｔ，２４ｓは、各３相ラインＬ１，Ｌ２，Ｌ３と中性ラインＮ間に接続され、コンデンサ２４ｒ，２４ｔ，２４ｓは、中性ラインＮを介したスター接続となる。一方、２００Ｖ級３相３線式交流電源９の場合、ノイズフィルタ用のコンデンサ２４ｒ，２４ｓ，２４ｒｓが、各３相ラインＬ１，Ｌ２，Ｌ３間に接続され、Δ接続となる。
【００５９】
ここで、４００Ｖ級３相４線式交流電源１で用いられるコンデンサ２４ｒ，２４ｔ，２４ｓは、中性ラインＮと各相との間の線間電圧２３０Ｖが印加されるため、相間電圧である４００Ｖよりも低くなり、Δ接続する場合に比べ、使用するコンデンサの定格が小さくて済むという効果がある。なお、４００Ｖ級３相４線式交流電源１で用いられるコンデンサ２４ｒ，２４ｔ，２４ｓは、２００Ｖ級３相３線式交流電源９に用いられるコンデンサ２４ｒ，２４ｓ，２４ｒｓよりは定格が大きいコンデンサを用いる必要がある。この際、コンデンサが挿入される導通孔は、同じものであるため、コンデンサの基板への接続端子の幅は定格が異なっていても同じものを選定する必要がある。
【００６０】
同様に、出力側ノイズ除去用回路７では、少なくとも後述の複数のコンデンサ３１ｒ，３１ｒｓ，３１ｓ，３２ｒ，３２ｓ，３２ｔを有する。これらコンデンサとラインフィルタ３のインダクタ３ｒ，３ｓ，３ｔとにより、ノイズ除去装置が構成される。
【００６１】
コンデンサ３１ｒは、導通孔ｈｃ５１，ｈｃ５２間に接続され、Ｒ相と中性ラインＮ間に挿入される。コンデンサ３１ｒｓは、導通孔ｈｃ８１，ｈｃ８２間接続され、Ｓ相とＲ相間に挿入される。コンデンサ３１ｓは、導通孔ｈｃ６１，ｈｃ６２間接続され、Ｓ相と中性ラインＮ間に挿入される。ここで、２００Ｖ級３相３線式交流電源９の場合は、中性ラインＮが電源側に接続されず、かつ、導通孔ｈｈ２１，ｈｈ２２に短絡用のジャンパ線３３ｂが挿入される。このため、中性ラインＮはジャンパ線３３ｂによってＴ相のラインである３相ラインＬ３と導通することとなる。したがって、コンデンサ３１ｓはＳ相とＴ相間に挿入されたことになる。同様にコンデンサ３１ｒはＲ相とＴ相間に挿入されたことになる。この結果、各コンデンサ３１ｒ，３１ｒｓ，３１ｓはそれぞれ３相の各相間に接続されたこととなり、ノイズフィルタの一部である相間コンデンサが構成できる。この出力側ノイズ除去用回路７でも入力側ノイズ除去用回路６と同様に、前述の４００Ｖ級３相４線式交流電源１の場合、ノイズフィルタ用のコンデンサ３１ｒ，３１ｒｓ，３１ｓは、中性ラインＮを介したスター接続となる。一方、２００Ｖ級３相３線式交流電源９の場合、ノイズフィルタ用のコンデンサ３１ｒ，３１ｒｓ，３１ｓが、各３相ラインＬ１，Ｌ２，Ｌ３間に接続され、Δ接続となる。
【００６２】
そして、３相ラインＬ１，Ｌ２，Ｌ３におけるラインフィルタ３の接続位置よりも下流側に、電気機器Ｂ内の200Ｖ系負荷３００が接続される。この200Ｖ系負荷３００は、各相間電圧（３相交流電圧）２００Ｖにより動作するインバータおよび圧縮機モータ等を有する。
【００６３】
また、出力側ノイズ除去用回路７は、１つの相間電圧（単相交流電圧）２００Ｖを出力するための出力端子Ｏｕｔ１，Ｏｕｔ２、欠相検出信号を出力するための出力端子Ｏｕｔ３，Ｏｕｔ４、リレー駆動信号を取り込むための入力端子Ｉｎ１，Ｉｎ２を有する。出力端子Ｏｕｔ１，Ｏｕｔ２には上記電気機器Ｂ内の100Ｖ系負荷４００が接続される。この100Ｖ系負荷４００は、ファンモータおよび制御回路４０１等を有し、出力側ノイズ除去用回路７の出力端子Ｏｕｔ１，Ｏｕｔ２から供給される相間電圧２００Ｖにより動作する。制御回路４０１は、当該100Ｖ系負荷４００のファンモータおよび200Ｖ系負荷３００のインバータの運転を制御するとともに、出力端子Ｏｕｔ１，Ｏｕｔ２から当該100Ｖ系負荷４００への相間電圧の供給を出力側ノイズ除去用回路７に対するリレー駆動信号の供給によって制御する。出力端子Ｏｕｔ３，Ｏｕｔ４には、欠相を報知するための欠相報知器５が接続される。
【００６４】
この入力側ノイズ除去用回路６および出力側ノイズ除去用回路７は、上記した３相４線式交流電源１への対応と同じく、図２および図３の共通回路基板１０の入力側ノイズ除去用回路基板１１および出力側ノイズ除去用回路基板１２の各導通孔に対する各コンデンサおよび電気部品の実装によってそれぞれ形成される。
【００６５】
すなわち、図９に示すように、入力側ノイズ除去用回路６が図４の入力側ノイズ除去用回路２と異なる点は、中性点端子Ｔｎが不要なこと、サージ保護デバイス２２ｔがＴ相ラインＬ３と中性ラインＮとの間でなく相ラインＬ１，Ｌ２間に接続されること、コンデンサ２４ｔがＴ相ラインＬ３と中性ラインＮとの間でなくＲ相ラインＬ１とＳ相ラインＬ２との間に接続されること、Ｔ相ラインＬ３と中性ラインＮとの間がジャンパ線２５の接続により導通されることである。
【００６６】
出力側ノイズ除去用回路７が図４の出力側ノイズ除去用回路４と異なる点は、中性点端子Ｔｎが不要なこと、コンデンサ３１ｔがＴ相ラインＬ３と中性ラインＮとの間でなくＲ相ラインＬ１とＳ相ラインＬ２間に接続されること、Ｔ相ラインＬ３と中性ラインＮとの間がジャンパ線３３の接続により導通されること、３相ラインＬ１，Ｌ２，Ｌ３と中性ラインＮとの間にダイオード５１ｒ，５１ｓ，５１ｔが接続されること、誤配線検出回路３６が不要なこと、トランジスタ３９が不要なこと、サーミスタ３７とジャンパ線５２の直列回路がリレー４１の常開接点４１ａに対して並列接続されることである。上記ダイオード５１ｒ，５１ｓ，５１ｔは、ダイオード３４ｒ，３４ｓ，３４ｔと共に全波整流回路を構成する。
【００６７】
こうして共通回路基板１０上に入力側ノイズ除去用回路６および出力側ノイズ除去用回路７が形成され、これら入力側ノイズ除去用回路６と出力側ノイズ除去用回路７とが溝１３の切断によって分割される。そして、分割された入力側ノイズ除去用回路６と出力側ノイズ除去用回路７との間にラインフィルタ３が外付け接続される。
【００６８】
他の構成は入力側ノイズ除去用回路２および出力側ノイズ除去用回路４と同じである。よって、その説明は省略する。
【００６９】
［３］まとめ  
以上のように、４００Ｖ級３相４線式交流電源１に適合する入力側ノイズ除去用回路２と出力側ノイズ除去用回路４、および２００Ｖ級３相３線式交流電源９に適合する入力側ノイズ除去用回路６と出力側ノイズ除去用回路７を１つの共通回路基板１０上に実装する部品を選択するという構成の採用により、１つの共通回路基板１０で４００Ｖ級３相４線式交流電源１および２００Ｖ級３相３線式交流電源９の両方に対応することができる。これにより、回路基板の種類および個数を少なくすることができ、コストの低減が図れる。
【００７０】
また、共通回路基板１０上に形成した入力側ノイズ除去用回路２，６と出力側ノイズ除去用回路４，７とを溝１３の切断によって分割し、その分割した入力側ノイズ除去用回路２，６と出力側ノイズ除去用回路４，７との間にラインフィルタ３を外付け接続するので、入力側ノイズ除去用回路２，６および出力側ノイズ除去用回路４，７に対するラインフィルタ３のインダクタンスの影響を小さくできる。
【００７１】
なお、上記実施形態において、入力側ノイズ除去用回路基板１１の短絡用接続部であるジャンパ線２５用の導通孔ｈｈ１１，ｈｈ１２については、第１のコンデンサ接続部であるコンデンサ２４ｔ用の導通孔ｈｃ３１，ｈｃ３２と兼用とすることもできる。これは、４００Ｖ級３相４線式交流電源１の場合は、ジャンパ線２５が不要であるため、導通孔ｈｈ１１，ｈｈ１２は使用されず、一方、２００Ｖ級３相３線式交流電源９の場合はコンデンサ２４ｔが不要であるため、導通孔ｈｃ３１，ｈｃ３２は使用されないことから同時に使用されることがないこと、また、導通孔ｈｈ１１，ｈｈ１２と導通孔ｈｃ３１，ｈｃ３２は、いずれもＴ相ラインＬ３と中性ラインＮとの間に設けられることによる。この兼用により、導通孔ｈｈ１１，ｈｈ１２または導通孔ｈｃ３１，ｈｃ３２のいずれかが不要となり、構成の簡略化が図れる。  
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００７２】
１…４００Ｖ級３相４線式交流電源、２…入力側ノイズ除去用回路、３…ラインフィルタ、３ｒ，３ｓ，３ｔ，３ｎ…インダクタ、４…出力側ノイズ除去用回路、Ｌ１，Ｌ２，Ｌ３…３相ライン、Ｎ…中性ライン、９…２００Ｖ級３相４線式交流電源、１０…共通共振回路、１１…入力側ノイズ除去用回路基板、１２…出力側ノイズ除去用回路基板、１３…溝、Ｔｒ，Ｔｓ，Ｔｔ…電源端子、Ｔｎ…中性点電源端子、Ｔｅ…アース端子、Ｏｕｔ１，Ｏｕｔ２…出力端子、Ｏｕｔ３，Ｏｕｔ４…出力端子、Ｉｎ１，Ｉｎ２…入力端子、ｈｃ１１１，ｈｃ１１２…導通孔（第１のコンデンサ接続部）、ｈｃ１２１，ｈｃ１２２…導通孔（第１のコンデンサ接続部）、ｈｃ１３１，ｈｃ１３２…導通孔（第１のコンデンサ接続部）、ｈｃ８１，ｈｃ８２…導通孔（第２のコンデンサ接続部）、ｈｈ１１，ｈｈ１２…導通孔（短絡用接続部）、２４ｒ，２４ｓ，２４ｔ…コンデンサ、３１ｒ，３１ｓ，３１ｔ…コンデンサ、３６…誤配線検出回路、４０…フォトカプラ（欠相検出器）、４１…リレー、１００…400Ｖ系負荷、２００…230Ｖ系負荷、３００…200Ｖ系負荷、４００…100Ｖ系負荷
【図１】
0005450140.tif 000002
【図２】
0005450140.tif 000003
【図３】
0005450140.tif 000004
【図４】
0005450140.tif 000005
【図５】
0005450140.tif 000006
【図６】
0005450140.tif 000007
【図７】
0005450140.tif 000008
【図８】
0005450140.tif 000009
【図９】
0005450140.tif 000010